(57)【特許請求の範囲】
【請求項１】
直交周波数分割多重化接続システムにおいて基地局におけるハイブリッド自動再伝送要求（ＨＡＲＱ）を支援する方法であって、
前記方法は、
移動端末にＭＡＰメッセージを伝送することであって、前記ＭＡＰメッセージは、ダウンリンクデータバーストが伝送されるダウンリンクデータ領域の位置を示す第１位置情報と、前記ダウンリンクデータバーストに対する応答としてＡＣＫまたはＮＡＣＫ信号が受信されるＡＣＫ／ＮＡＣＫ信号スロットの位置を識別するために用いられる第２位置情報とを含み、前記ＡＣＫ／ＮＡＣＫ信号スロットは、前記基地局により割り当てられたアップリンク領域であるＡＣＫ／ＮＡＣＫ領域内に位置する、ことと、
前記第１位置情報により示される前記ダウンリンクデータ領域で伝送された前記ダウンリンクデータバーストに対する応答として前記第２位置情報に基づいて前記ＡＣＫ／ＮＡＣＫ信号スロットで前記移動端末から前記ＡＣＫまたはＮＡＣＫ信号を受信することと
を含み、
前記第２位置情報は、前記ＡＣＫ／ＮＡＣＫ領域の第１スロットからのオフセット値を含み、
前記オフセット値は、ＭＡＰメッセージに定義された少なくとも一つのダウンリンクデータバーストのうち、最初のダウンリンクデータバーストに対する前記ＡＣＫ／ＮＡＣＫ信号スロットに対応する、方法。
【請求項２】
前記第１位置情報は、ＭＡＰメッセージの最初の割当値から周波数軸に沿って累積された値を含む、請求項１に記載の方法。
【請求項３】
前記第１位置情報は、ＭＡＰメッセージの最初の割当値から時間軸に沿って累積された値を含む、請求項１に記載の方法。
【請求項４】
前記第１位置情報は、周波数軸および時間軸にマッピングされる２次元座標値を含む、請求項１に記載の方法。
【請求項５】
前記第２位置情報は、周波数軸および時間軸にマッピングされる２次元座標値を含む、請求項１に記載の方法。
【請求項６】
直交周波数分割多重化接続システムにおいてハイブリッド自動再伝送要求（ＨＡＲＱ）を支援する基地局であって、
前記基地局は、
移動端末にＭＡＰメッセージを伝送する伝送機であって、前記ＭＡＰメッセージは、ダウンリンクデータバーストが伝送されるダウンリンクデータ領域の位置を示す第１位置情報と、前記ダウンリンクデータバーストに対する応答としてＡＣＫまたはＮＡＣＫ信号が受信されるＡＣＫ／ＮＡＣＫ信号スロットの位置を識別するために用いられる第２位置情報とを含み、前記ＡＣＫ／ＮＡＣＫ信号スロットは、前記基地局により割り当てられたアップリンク領域であるＡＣＫ／ＮＡＣＫ領域内に位置する、伝送機と、
前記第１位置情報により示される前記ダウンリンクデータ領域で伝送された前記ダウンリンクデータバーストに対する応答として前記第２位置情報に基づいて前記ＡＣＫ／ＮＡＣＫ信号スロットで前記移動端末から前記ＡＣＫまたはＮＡＣＫ信号を受信する受信機と
を含み、
前記第２位置情報は、前記ＡＣＫ／ＮＡＣＫ領域の第１スロットからのオフセット値を含み、
前記オフセット値は、ＭＡＰメッセージに定義された少なくとも一つのダウンリンクデータバーストのうち、最初のダウンリンクデータバーストに対する前記ＡＣＫ／ＮＡＣＫ信号スロットに対応する、基地局。
【請求項７】
前記第１位置情報は、周波数軸および時間軸にマッピングされる２次元座標値である、請求項６に記載の基地局。
【請求項８】
前記第２位置情報は、周波数軸および時間軸にマッピングされる２次元座標値を含む、請求項６に記載の基地局。
【発明の詳細な説明】
【技術分野】
【０００１】
本発明は、直交周波数分割多重接続（ＯＦＤＭＡ）無線接続システムに関するもので、より詳細には、データバーストを割り当てる方法及び自動再伝送要求（ＨＡＲＱ）支援方法に関するものである。本発明は、多様な範囲で適用可能であるが、特に、移動端末（Ｍｏｂｉｌｅ  Ｓｕｂｓｃｒｉｂｅｒ  Ｓｔａｔｉｏｎ：ＭＳＳ）に割り当てられたＡＣＫ／ＮＡＣＫ信号の伝送位置を把握するために以前のメッセージまで全て確認すべきである面倒さや、エラー発生の可能性を減少させるのに適している。また、本発明は、前記データバーストが累積的に割り当てられる場合、途中でエラーが発生し、以後のバーストの割当位置にもエラーが連続的に発生する問題を解決するのに適している。
【背景技術】
【０００２】
一般的に、ＡＲＱ（Ａｕｔｏｍａｔｉｃ  Ｒｅｐｅａｔ  ｒｅｑｕｅｓｔ）は、受信側で送信側から伝送されたデータを受信した後、前記データが正しく受信されたかどうかに対する情報を送信側に知らせるための応答メッセージである。
【０００３】
図１Ａは、‘Ｓｔｏｐ―Ａｎｄ―Ｗａｉｔ’ＡＲＱシステムを示した図で、送信側は、データを伝送した後、受信側からＡＣＫまたはＮＡＣＫメッセージを受信するまで待つ。送信側は、その後に新しいデータまたは以前のデータを再伝送する。
【０００４】
図１Ｂは、‘Ｇｏ―Ｂａｃｋ―Ｎ’ＡＲＱシステムを示した図で、送信側は、受信側からの応答と関係なしに継続的にデータを伝送する。
【０００５】
ＮＡＣＫ信号を受信した後、送信側は、対応する部分を再伝送する。
【０００６】
図１Ｃは、‘Ｓｅｌｅｃｔｉｖｅ―Ｒｅｐｅａｔ’ＡＲＱシステムを示した図で、送信側は、受信側からの応答と関係なしに継続的にデータを伝送する。ＮＡＣＫ信号を受信した後、送信側は、ＮＡＣＫ信号に対応するデータのみを再伝送する。
【０００７】
ＨＡＲＱ（Ｈｙｂｒｉｄ  ＡＲＱ）は、パケット伝送通信システムで２Ｍｂｐｓ、１０Ｍｂｐｓ以上のデータレートが要求されながら、より高いコーディングレート、より高次の変調方法など（Ｒｃ＝５／６、３／４、Ｍｏｄ＝１６―ＱＡＭ、６４―ＱＡＭ）を選択することによって、チャネル上でより大きいエラーが発生するので、このような問題を解決するための一つの方法として提示されている。
【０００８】
ＨＡＲＱシステムでは、伝送時にエラーのあるデータをバッファーに保存してから、再伝送される情報と結合してＦＥＣ（Ｆｏｒｗａｒｄ  Ｅｒｒｏｒ  Ｃｏｒｒｅｃｔｉｏｎ）を適用する。その反面、ＡＲＱシステムでは、エラーのあるデータは捨てられる。ＨＡＲＱシステムは、ＦＥＣ及びＡＲＱを結合して生成されたシステムタイプである。さらに、ＨＡＲＱは、主に次のような４種類のシステムに分けられる。
【０００９】
第一のシステムは、図２に示したタイプＩ  ＨＡＲＱシステムで、データは、優先的にＦＥＣ（Ｆｏｒｗａｒｄ  Ｅｒｒｏｒ  Ｃｏｒｒｅｃｔｉｏｎ）を検出するために常にエラー検出符号に付けられる。パケットにエラーが依然として残っている場合、再伝送が要求される。エラーのあるパケットは捨てられ、再伝送されたパケットは、同一のＦＥＣコードで用いられる。
【００１０】
第二のシステムは、図３に示したＩＲ  ＡＲＱ（Ｉｎｃｒｅｍｅｎｔａｌ  Ｒｅｄｕｎｄａｎｃｙ  ＡＲＱ）と呼ばれるタイプＩＩ  ＨＡＲＱシステムで、エラーのあるパケットは、捨てられないが、再伝送されるリダンダンシービットと結合するためにバッファーに保存される。再伝送時に、データビットを除いたパリティビットのみが伝送される。再伝送されたパリティビットは、再伝送時ごとに変わる。
【００１１】
第三のシステムは、図４に示したタイプＩＩＩ  ＨＡＲＱシステムで、タイプＩＩ  ＨＡＲＱシステムの特定形態であり、それぞれのパケットは、自己復号化が可能である。パケットは、エラーのある部分及びデータが一緒に含まれて構成される。このシステムは、タイプＩＩ  ＨＡＲＱシステムに比べると、より正確な復号化が可能であるが、コーディング率側面で不利である。
【００１２】
第四のシステムは、図５に示した‘Ｔｙｐｅ  Ｉ  ｗｉｔｈ  ｓｏｆｔ  ｃｏｍｂｉｎｉｎｇ’ＨＡＲＱシステムで、タイプＩ  ＨＡＲＱシステムにおいて受信側で初めて伝送を受けたデータを保存し、これを再伝送されたデータと結合する。‘Ｔｙｐｅ  Ｉ  ｗｉｔｈ  ｓｏｆｔ  ｃｏｍｂｉｎｉｎｇ’ＨＡＲＱシステムは、メトリックコンバイニング（ｍｅｔｒｉｃ  ｃｏｍｂｉｎｉｎｇ）またはチェイスコンバイニング（ｃｈａｓｅ  ｃｏｍｂｉｎｉｎｇ）システムとも呼ばれる。このシステムは、ＳＩＮＲ側面で利得があり、再伝送されるデータのパリティビットは、常に同じものを用いる。
【００１３】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式は、有無線チャネルにおける高速データ伝送に適した方式として最近活発に研究されている。ＯＦＤＭ方式では、相互直交性を有する多数の搬送波を用いるので、周波数利用効率が高くなる。また、これら多数の搬送波を送信端及び受信端で変調及び復調する過程は、それぞれＩＤＦＴ（Ｉｎｖｅｒｓｅ  Ｄｉｓｃｒｅｔｅ  Ｆｏｕｒｉｅｒ  Ｔｒａｎｓｆｏｒｍ）とＤＦＴ（Ｄｉｓｃｒｅｔｅ  Ｆｏｕｒｉｅｒ  Ｔｒａｎｓｆｏｒｍ）を行った場合と同じ結果になり、ＩＦＦＴ（Ｉｎｖｅｒｓｅ  Ｆａｓｔ  Ｆｏｕｒｉｅｒ  Ｔｒａｎｓｆｏｒｍ）とＦＦＴ（Ｆａｓｔ  Ｆｏｕｒｉｅｒ  Ｔｒａｎｓｆｏｒｍ）を用いて高速で具現することができる。
【００１４】
ＯＦＤＭの原理は、高速のデータストリームを多数の低速データストリームに分割し、多数の副搬送波を用いて同時に伝送することでシンボル区間を増加させ、多重経路遅延拡散による時間領域での相対的な分散を減少させることにある。ＯＦＤＭ方式によるデータの伝送は、伝送シンボルを単位とする。
【００１５】
ＯＦＤＭ方式における変・復調は、ＤＦＴ（Ｄｉｓｃｒｅｔｅ  Ｆｏｕｒｉｅｒ  Ｔｒａｎｓｆｏｒｍ）を用いて全ての副搬送波に対して一括的に処理できるので、個別的な副搬送波に対して変・復調器をそれぞれ設計する必要がない。
【００１６】
図６は、直交周波数分割多重化（ＯＦＤＭ）変・復調器の構成を示した図である。図６によると、直列に入力されるデータストリームは、サブキャリアの数だけ並列データストリームに転換される。逆離散フーリエ変換（ＩＤＦＴ）は、それぞれの並列データストリームに行われる。速いデータ処理のために、ＩＦＦＴ（Ｉｎｖｅｒｓｅ  Ｆａｓｔ  Ｆｏｕｒｉｅｒ  Ｔｒａｎｓｆｏｒｍ）が用いられる。逆離散フーリエ変換されたデータは、再び直列データに転換され、周波数変換を経て送信される。受信側は、逆過程を通して対応する信号を復調する。
【００１７】
移動通信システムにおける資源は、周波数チャネル、すなわち、周波数帯域であり、有限の周波数帯域を使用者間に効率的に割り当てて用いる方法論が多重接続で、両方向通信においてＵＬ（Ｕｐ  Ｌｉｎｋ）連結とＤＬ（Ｄｏｗｎ  Ｌｉｎｋ）連結とを区分する連結方法論が多重化である。無線多重接続及び多重化方式は、限定された周波数資源を効率的に用いるための無線伝送技術の最も基本となるプラットフォーム技術で、割り当てられた周波数帯域、使用者数、伝送率、移動性、セル構造または無線環境などによって決定される。
【００１８】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）は、多数個の搬送波を用いる多数の搬送波伝送／変調（Ｍｕｌｔｉ  Ｃａｒｒｉｅｒ  Ｔｒａｎｓｍｉｓｓｉｏｎ／Ｍｏｄｕｌａｔｉｏｎ：ＭＣＭ）方式の一種で、入力データを使用搬送波の数だけ並列化し、データを各搬送波に載せて伝送する方式である。ＯＦＤＭは、４世代移動通信の要求特性を満足させる有力な無線伝送技術の候補として台頭しており、使用者の多重接続方式によってＯＦＤＭ―ＦＤＭＡ、ＯＦＤＭ―ＴＤＭＡ、ＯＦＤＭ―ＣＤＭＡに分けられる。各方式は、それぞれの長所・短所があり、各方式の短所を補完するための技法が存在する。
【００１９】
これらのうち、ＯＦＤＭ―ＦＤＭＡ（ＯＦＤＭＡ）は、４世代のマクロ／マイクロセルラーインフラに適した方式で、セル内の干渉がなく、周波数の再使用効率が高く、適応変調及び粒度（ｇｒａｎｕｌａｒｉｔｙ）に優れている。また、ＯＦＤＭーＦＤＭＡの短所を補完するために、分散周波数跳躍技法、多重アンテナ技法、強力な符号化技法などを用いてダイバーシティを高め、セル間干渉の影響を減少させることができる。ＯＦＤＭＡ方式は、各使用者が要求する伝送率によって副搬送波の個数を異なるように割り当てることで、資源を効率的に分配することができる。さらに、ＯＦＤＭ―ＴＤＭＡと同様に、各使用者がデータ受信前にプリアンブルを用いて初期化する必要がないので、伝送効率が増加することになる。特に、ＯＦＤＭＡ方式は、多数の副搬送波を用いる場合（すなわち、ＦＦＴ大きさが大きい場合）に適しているので、時間遅延拡散が比較的広い地域のセルを有する無線通信システムに効率的に適用される。また、周波数跳躍（ｆｒｅｑｕｅｎｃｙ―ｈｏｐｐｉｎｇ）ＯＦＤＭＡ方式は、無線チャネルにおいて深いフェーディングを伴う副搬送波が存在する場合や、他の使用者による副搬送波干渉が存在する場合、これを克服し、周波数ダイバーシティ効果を高めて干渉平均効果を得るのに用いられる。図６は、周波数領域で割り当てられた格子が、時間スロットによって周波数跳躍するＯＦＤＭＡ方式を示す。
【００２０】
図７は、従来のＯＦＤＭＡ無線通信システムにおけるデータフレームの構成を示した図である。図７において、横軸は、時間軸としてシンボル単位で表示したもので、縦軸は、周波数軸としてサブチャネル単位で表示したものである。前記サブチャネルは、多数の副搬送波の束を意味する。具体的に説明すると、ＯＦＤＭＡ物理階層では、活性搬送波をグループに分離し、グループ別にそれぞれ異なる受信端に送信される。このように一つの受信端に伝送される搬送波のグループは、サブチャネルと呼ばれる。このとき、各サブチャネルを構成する搬送波は、互いに隣接したり、または、等間隔を有して離れている。
【００２１】
各使用者に割り当てられるスロットは、図７に示すように、２次元空間のデータ領域によって定義され、これは、バーストによって割り当てられる連続的なサブチャネルの集合である。ＯＦＤＭＡにおける一つのデータ領域は、図７に示すように、時間座標とサブチャネル座標によって決定される直四角形で示される。このようなデータ領域は、特定の使用者のアップリンクに割り当てられるか、または、基地局が特定の使用者にダウンリンクでデータ領域を伝送することができる。
【００２２】
ＯＦＤＭ／ＯＦＤＭＡ無線通信システムの従来技術において、基地局は、ＭＳＳに送信するデータが存在する場合、ＤＬ―ＭＡＰ（Ｄｏｗｎｌｉｎｋ―ＭＡＰ）を通して送信するデータ領域を割り当てる。ＭＳＳは、割り当てられた領域（図７のＤＬバースト＃１〜＃５）を通してデータを受信する。
【００２３】
図７において、ダウンリンクサブフレームは、物理階層での同期化と等化のために用いられるプリアンブル（ｐｒｅａｍｂｌｅ）で開始され、その次には、ダウンリンクとアップリンクに割り当てられるバーストの位置及び用途を定義する放送形態のダウンリンクＭＡＰ（ＤＬ―ＭＡＰ）メッセージとアップリンクＭＡＰ（ＵＬ―ＭＡＰ）メッセージを通してフレーム全体に対する構造を定義する。
【００２４】
ＤＬ―ＭＡＰメッセージは、バーストモード物理階層におけるダウンリンク区間に対してバースト別に割り当てられた用途を定義し、ＵＬ―ＭＡＰメッセージは、アップリンク区間に対して割り当てられたバーストの用途を定義する。ＤＬ―ＭＡＰを構成する情報要素（Ｉｎｆｏｒｍａｔｉｏｎ  Ｅｌｅｍｅｎｔ：ＩＥ）は、ＤＩＵＣ（Ｄｏｗｎｌｉｎｋ  Ｉｎｔｅｒｖａｌ  Ｕｓａｇｅ  Ｃｏｄｅ）、ＣＩＤ（Ｃｏｎｎｅｃｔｉｏｎ  ＩＤ）及びバーストの位置情報（例えば、サブチャネルオフセット、シンボルオフセット、サブチャネル数、シンボル数）によって使用者端にダウンリンクトラフィック区間が区分される。一方、ＵＬ―ＭＡＰメッセージを構成する情報要素は、各ＣＩＤ（Ｃｏｎｎｅｃｔｉｏｎ  ＩＤ）別にＵＩＵＣ（Ｕｐｌｉｎｋ  Ｉｎｔｅｒｖａｌ  Ｕｓａｇｅ  Ｃｏｄｅ）によって用途が決まり、‘ｄｕｒａｔｉｏｎ’によって該当区間の位置が規定される。ここで、ＵＬ―ＭＡＰで用いられるＵＩＵＣ値によって区間別用途が決まり、各区間は、以前のＩＥ開始点からＵＬ―ＭＡＰ  ＩＥで規定された‘ｄｕｒａｔｉｏｎ’だけ離れた地点で開始される。
【００２５】
ＤＣＤ（Ｄｏｗｎｌｉｎｋ  Ｃｈａｎｎｅｌ  Ｄｅｓｃｒｉｐｔｏｒ）メッセージとＵＣＤ（Ｕｐｌｉｎｋ  Ｃｈａｎｎｅｌ  Ｄｅｓｃｒｉｐｔｏｒ）メッセージは、それぞれダウンリンクとアップリンクに割り当てられたバースト区間で適用される物理階層関連パラメータとして、変調タイプ、ＦＥＣコードタイプなどを含む。また、多様な順方向エラー訂正コード類型によって、必要な各パラメータ（例えば、Ｒ―Ｓ  ＣｏｄｅのＫ、Ｒ値など）を規定する。これらパラメータは、ＵＣＤ及びＤＣＤの内部でそれぞれＵＩＵＣ（Ｕｐｌｉｎｋ  Ｉｎｔｅｒｖａｌ  Ｕｓａｇｅ  Ｃｏｄｅ）及びＤＩＵＣ（Ｄｏｗｎｌｉｎｋ  Ｉｎｔｅｒｖａｌ  Ｕｓａｇｅ  Ｃｏｄｅ）別に規定されたバーストプロファイルによって与えられる。
【００２６】
ＯＦＤＭＡ通信システムにおけるバースト割当方式は、ＨＡＲＱ方式の支援可否によって一般的なＭＡＰ方式とＨＡＲＱ方式とに区分される。
【００２７】
ダウンリンクにおける一般的なＭＡＰのバースト割当方式は、図７に示すように、時間軸及び周波数軸からなる四角形状を教える。すなわち、開始シンボル番号、開始サブチャネル番号、使用されるシンボルの個数、及び使用されるサブチャネルの個数（Ｎｏ．ＯＦＤＭＡ  ｓｙｍｂｏｌｓ、Ｎｏ．Ｓｕｂｃｈａｎｎｅｌｓ）を教える。アップリンクでは、シンボル軸に順にバーストを割り当てる方式を用いるので、使用されるシンボルの個数のみを教えることで、アップリンクのバーストを割り当てることができる。
【００２８】
図８は、ＨＡＲＱ  ＭＡＰによるデータフレームを示した図である。ＨＡＲＱ  ＭＡＰでは、一般的なＭＡＰとは異なって、アップリンクとダウンリンクの全てのサブチャネル軸に順にバーストを割り当てる方式を用いる。ＨＡＲＱ  ＭＡＰでは、バーストの長さのみを知らせる。この方法は、図８に示すように、バーストを順次割り当てる。バーストの開始位置は、以前のバーストが終了した位置であり、開始位置から割り当てられた長さだけの無線資源を占有する。以下で説明する方式は、周波数軸に沿ってバーストを累積型で割り当てる方式に関するものである。時間軸に沿ってバーストを割り当てる方式も、同一の原理にしたがう。
【００２９】
ＨＡＲＱ  ＭＡＰでは、ＭＡＰメッセージを多数個に分け（図８を参照：ＨＡＲＱ  ＭＡＰ＃１、ＨＡＲＱ  ＭＡＰ＃２、・・・、ＨＡＲＱ  ＭＡＰ＃Ｎ）、各ＭＡＰメッセージに任意のバーストの情報を含ませる。例えば、ＭＡＰメッセージ＃１はバースト＃１の情報を含み、ＭＡＰメッセージ＃２はバースト＃２の情報を含み、ＭＡＰメッセージ＃３はバースト＃３〜＃５の情報を含む。
【００３０】
上述したように、ＯＦＤＭＡシステムでＨＡＲＱを支援するためにＨＡＲＱ  ＭＡＰを用いる。ＨＡＲＱ  ＭＡＰは、ＤＬ  ＭＡＰ内にＨＡＲＱ  ＭＡＰポインタＩＥがあり、ＨＡＲＱ  ＭＡＰ位置を知らせると、ＨＡＲＱ  ＭＡＰでダウンリンクの副チャネル軸に順次バーストを割り当てる方式を用いる。バーストの開始位置は、以前のバーストが終了した位置であり、開始位置から割り当てられた長さだけの無線資源を占有する。これは、アップリンクにもそのまま適用される。
【００３１】
伝送されたデータバーストが成功的に受信されたかどうかを、アップリンクのＡＣＫ信号区域にＡＣＫ／ＮＡＣＫ信号で知らせる。ＭＳＳがｉ番目フレームでバーストを受けた場合、ＡＣＫ／ＮＡＣＫ信号は、（ｉ＋ｊ）番目フレームのアップリンクのＡＣＫ信号区域に送られる。ＡＣＫ信号区域を割り当てる方法は、各ＨＡＲＱ  ＭＡＰメッセージごとにアップリンクにＡＣＫ信号区域を割り当てる方法と、フレームの多数個のＨＡＲＱ  ＭＡＰメッセージのうち二つ以上のＨＡＲＱ  ＭＡＰメッセージが一つのＡＣＫ信号区域を用いる方法がある。
【００３２】
フレームのＨＡＲＱ  ＡＣＫ区域を一つに定め、ＨＡＲＱ  ＭＡＰメッセージが示すバーストのＡＣＫ／ＮＡＣＫ信号のスロットを順次知らせる方法に対して具体的に説明する。
【００３３】
図９は、ＨＡＲＱ  ＭＡＰメッセージにおけるＨＡＲＱ信号区域の割当方式を説明するための図である。ＨＡＲＱ  ＭＡＰメッセージにおいて、ＡＣＫ信号区域は、ＡＣＫ信号区域の開始位置および大きさの四つの情報（ＯＦＤＭＡ  Ｓｙｍｂｏｌ  ｏｆｆｓｅｔ、Ｓｕｂｃｈａｎｎｅｌ  ｏｆｆｓｅｔ、Ｎｏ．ＯＦＤＭＡ  Ｓｙｍｂｏｌｓ、Ｎｏ．Ｓｕｂｃｈａｎｎｅｌｓ）を用いてアップリンクに割り当てる。それぞれのＭＳＳは、各バーストが成功的に受信されたかどうかを示すＡＣＫ／ＮＡＣＫ信号を、アップリンクに割り当てられたＡＣＫ信号区域（図９）に順次入力する。ＡＣＫ／ＮＡＣＫ信号の開始位置は、以前に受信されたＡＣＫ／ＮＡＣＫ情報の次の位置である。ＡＣＫ／ＮＡＣＫ信号の順序は、ＨＡＲＱ  ＭＡＰメッセージにあるダウンリンクのバースト順序にしたがう。すなわち、バースト＃１から＃７の順のように、既に割り当てられたアップリンクのＨＡＲＱ  ＡＣＫ区域内でのＡＣＫ／ＮＡＣＫ信号も、バースト＃１から＃７に相応する順に送られる。
【００３４】
図９に示すように、ＭＡＰメッセージ＃１は、バースト＃１、＃２に対する割当情報を含み、ＭＡＰメッセージ＃２は、バースト＃３、＃４に対する割当情報を含み、ＭＡＰメッセージ＃３は、バースト＃５、＃６、＃７に対する割当情報を含む。ＭＳＳ＃１は、ＭＡＰメッセージ＃１の内容中のバースト＃１の情報を読み、伝送されたデータが成功的に受信されたかどうかをＨＡＲＱ  ＭＡＰメッセージで示すＡＣＫ信号区域内での最初のスロットに知らせる。ＭＳＳ＃２は、ＡＣＫ信号区域内でのバースト＃１のＡＣＫ／ＮＡＣＫ信号スロットの次の順序に知らせる（ＭＡＰメッセージ＃１の内容中のバースト＃１のカウントを一つ増加させることで、ＨＡＲＱ  ＡＣＫ区域内での位置を知るようになる）。ＭＳＳ＃３は、ＭＡＰメッセージ＃１のバースト＃１、＃２のカウント合計を計算し、ＨＡＲＱ  ＡＣＫ区域内での位置を知るようになる。
【００３５】
上記のような方式で、全てのＨＡＲＱ  ＡＣＫ区域の位置を順次知ることができる。ＭＳＳは、自身に割り当てられたＡＣＫ信号区域内でのＡＣＫ／ＮＡＣＫ位置を知るために、他のＭＳＳに伝達されるＭＡＰメッセージを読むべきであり、そのＭＡＰメッセージ内のバーストを全部累積して計算しなければならない。この過程で、現在読もうとするＨＡＲＱ  ＭＡＰメッセージ以前のＨＡＲＱ  ＭＡＰメッセージのうち何れか一つにエラーが発生する場合、ＡＣＫ信号区域内でのデータのバーストにマッピングされるスロットの正確な位置を知ることができない。例えば、図１０Ａ及び図１０Ｂにおいて、ＨＡＲＱ  ＭＡＰメッセージ＃１でエラーが発生した場合、ＨＡＲＱ  ＭＡＰメッセージ＃２のＭＳＳ（移動端末）＃３、＃４のみならず、ＨＡＲＱ  ＭＡＰメッセージ＃３のＭＳＳ＃５、＃６、＃７まで、ＡＣＫ信号区域内でのＡＣＫ／ＮＡＣＫの信号を入力するスロットの位置を知ることができなくなる。したがって、一つのＨＡＲＱ  ＭＡＰメッセージのみにエラーが発生する場合も、全体のデータを全て再び送るべきであり、オーバーヘッド発生の問題点がある。
【００３６】
図１１Ａ及び図１１Ｂは、従来技術によってデータバーストを累積型で割り当てる方法を説明するための図である。
【００３７】
図１１Ａ及び図１１Ｂによると、ＭＡＰメッセージ＃１は、バースト＃１及び＃２の割当情報を含み、ＭＡＰメッセージ＃２は、バースト＃３〜＃５の割当情報を含む。
【００３８】
ＭＳＳ＃１は、ＭＡＰメッセージ＃１の内容でバースト＃１の情報によってバーストの大きさ及び位置を知ることができる。ＭＳＳ＃２は、ＭＡＰメッセージ＃１の内容でバースト＃１の‘ｄｕｒａｔｉｏｎ’を読むことで、バースト＃２の位置を知ることができる。したがって、ＭＳＳ＃３は、ＭＡＰメッセージ＃１のバースト＃１及びバースト＃２の‘ｄｕｒａｔｉｏｎ’の総値を計算することで、バースト＃３の位置を知ることができる。したがって、全てのバーストの位置は、上述した方法によって順次知ることができる。
【００３９】
上述した従来技術において、それぞれの移動端末（ＭＳＳ）は、自身に割り当てられたデータバーストの位置及び大きさを知るために、他のＭＳＳに伝達されるＭＡＰメッセージも読むべきであり、そのＭＡＰメッセージ内の‘ｄｕｒａｔｉｏｎ’値を全部累積して計算しなければならない。
【００４０】
しかしながら、以前のＭＡＰメッセージでエラーが発生すると、移動端末は、自身に割り当てられたバーストの正確な位置を計算できなくなる。例えば、図１１Ａにおいて、ＭＡＰメッセージ＃１でエラーが発生する場合、ＭＳＳ＃３〜ＭＳＳ＃５に割り当てられたバーストの位置のみならず、ＭＳＳ＃１及びＭＳＳ＃２に割り当てられたバーストの位置も知ることができない。
【発明の概要】
【発明が解決しようとする課題】
【００４１】
本発明は、ＯＦＤＭＡ無線接続システムにおけるデータバースト割当方法及び自動再伝送要求（ＨＡＲＱ）支援方法に関するものである。
【００４２】
本発明の追加的な長所、目的及び特徴は、以下の詳細な説明を通して展開されるもので、以下の詳細な説明に基づいて前記技術分野の通常の技術を有する者にとって明らかになるか、または、発明の実施から理解することができる。本発明の目的及び長所は、添付の図のみならず、詳細な説明及び特許請求の範囲を通して詳細に指摘された構成によって得られるとともに、具体化されるはずである。
【課題を解決するための手段】
【００４３】
上記利点または他の利点を得るために、そして、本発明の目的によって具体化されて概略的に説明されたように、本発明は、直交周波数分割多重化接続システムにおいて基地局におけるハイブリッド自動再伝送要求（ＨＡＲＱ）を支援する方法であって、前記方法は、移動端末にＭＡＰメッセージを伝送することであって、前記ＭＡＰメッセージは、ダウンリンクデータバーストが伝送されるダウンリンクデータ領域の位置を示す第１位置情報と、前記ダウンリンクデータバーストに対する応答としてＡＣＫまたはＮＡＣＫ信号が受信されるＡＣＫ／ＮＡＣＫ信号スロットの位置を識別するために用いられる第２位置情報とを含み、前記ＡＣＫ／ＮＡＣＫ信号スロットは、前記基地局により割り当てられたアップリンク領域であるＡＣＫ／ＮＡＣＫ領域内に位置する、ことと、前記第１位置情報により示される前記ダウンリンクデータ領域で伝送された前記ダウンリンクデータバーストに対する応答として前記第２位置情報に基づいて前記ＡＣＫ／ＮＡＣＫ信号スロットで前記移動端末から前記ＡＣＫまたはＮＡＣＫ信号を受信することとを含む。
【００４４】
本発明の他の側面で、直交周波数分割多重化接続システムにおいてハイブリッド自動再伝送要求（ＨＡＲＱ）を支援する基地局であって、前記基地局は、移動端末にＭＡＰメッセージを伝送する伝送機であって、前記ＭＡＰメッセージは、ダウンリンクデータバーストが伝送されるダウンリンクデータ領域の位置を示す第１位置情報と、前記ダウンリンクデータバーストに対する応答としてＡＣＫまたはＮＡＣＫ信号が受信されるＡＣＫ／ＮＡＣＫ信号スロットの位置を識別するために用いられる第２位置情報とを含み、前記ＡＣＫ／ＮＡＣＫ信号スロットは、前記基地局により割り当てられたアップリンク領域であるＡＣＫ／ＮＡＣＫ領域内に位置する、伝送機と、前記第１位置情報により示される前記ダウンリンクデータ領域で伝送された前記ダウンリンクデータバーストに対する応答として前記第２位置情報に基づいて前記ＡＣＫ／ＮＡＣＫ信号スロットで前記移動端末から前記ＡＣＫまたはＮＡＣＫ信号を受信する受信機とを含む。
【００４５】
上記利点または他の利点を得るために、そして、本発明の目的によって具体化されて概略的に説明されたように、本発明は、直交周波数分割多重化接続（ＯＦＤＭＡ）システムにおけるデータ領域の割り当て方法において、情報を伝送及び受信するためのメッセージで識別された移動端末に割り当てられたデータマップのデータ領域の位置情報を含む前記メッセージを受信する段階と、受信された前記メッセージを読むことで、前記識別された移動端末に割り当てられたデータマップのデータ領域を識別する段階とを含み、前記データ位置は、他のデータマップのデータ位置と独立的に識別される。
【００４６】
本発明の一側面で、前記データ領域の位置情報は、前記全てのデータマップの前記データ領域が周波数軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記周波数軸に累積された値を含む。
【００４７】
本発明の他の側面で、前記データ領域の位置情報は、前記全てのデータマップの前記データ領域が周波数軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記周波数軸に累積された値以後の任意の地点を含む。
【００４８】
本発明の更に他の側面で、前記データ領域の位置情報は、前記全てのデータマップの前記データ領域が時間軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記時間軸に累積された値を含む。
【００４９】
本発明の更に他の側面で、前記データ領域の位置情報は、前記全てのデータマップの前記データ領域が時間軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記時間軸に累積された値以後の任意の地点を含む。
【００５０】
本発明の更に他の側面で、前記データ領域の位置情報は、周波数及び時間軸にマッピングされる２次元座標値である。
【００５１】
前記メッセージは、ＳＵＢ―ＤＬ―ＵＬ  ＭＡＰメッセージであることが好ましい。
【００５２】
本発明の他の実施例によると、前記データ領域の前記位置情報は、受信エラー確認情報を伝送するために前記移動端末に割り当てられたＡＣＫ／ＮＡＣＫ領域のＡＣＫ／ＮＡＣＫ信号スロットの位置を含む。
【００５３】
前記ＡＣＫ／ＮＡＣＫ信号スロットの前記位置は、前記ＡＣＫ／ＮＡＣＫ領域の第１スロットのオフセット値を含むことが好ましい。選択的に、前記ＡＣＫ／ＮＡＣＫ信号スロットは、周波数及び時間軸上の２次元座標値にマッピングされる。
【００５４】
本発明の他の実施例によると、前記データ領域の前記位置情報は、受信エラー確認情報を伝送するために移動端末に割り当てられたＡＣＫ／ＮＡＣＫビットマップのＡＣＫ／ＮＡＣＫ信号の位置を含む。前記ＡＣＫ／ＮＡＣＫ信号ビットの前記位置は、前記ＡＣＫ／ＮＡＣＫビットマップの第１ビットのオフセット値を含むことが好ましい。
【００５５】
本発明の他の実施例によると、直交周波数分割多重化接続（ＯＦＤＭＡ）システムにおけるデータ領域の割り当て方法において、移動端末が情報を伝送及び受信するためにデータマップのデータ領域を割り当てる段階と、前記メッセージに識別された移動端末が、前記移動端末に割り当てられた前記データマップの前記データ領域を位置させるための情報を含むメッセージを伝送する段階とを含み、前記情報は、前記移動端末が他のデータマップのデータ領域を識別せずに前記データマップの前記データ領域を容易に識別できるようにする。
【００５６】
本発明の一側面で、前記データ領域の位置情報は、前記全てのデータマップの前記データ領域が周波数軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記周波数軸に累積された値を含む。
【００５７】
本発明の他の側面で、前記データ領域の位置情報は、前記全てのデータマップの前記データ領域が周波数軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記周波数軸に累積された値以後の任意の地点を含む。
【００５８】
本発明の更に他の側面で、前記データ領域の位置情報は、前記全てのデータマップの前記データ領域が時間軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記時間軸に累積された値を含む。
【００５９】
本発明の更に他の側面で、前記データ領域の位置情報は、前記全てのデータマップの前記データ領域が時間軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記時間軸に累積された値以後の任意の地点を含む。
【００６０】
本発明の更に他の側面で、前記データ領域の位置情報は、周波数及び時間軸にマッピングされる２次元座標値である。
【００６１】
前記メッセージは、ＳＵＢ―ＤＬ―ＵＬ  ＭＡＰメッセージであることが好ましい。
【００６２】
本発明の更に他の実施例によると、前記データ領域の前記位置情報は、受信エラー確認情報を伝送するために前記移動端末に割り当てられたＡＣＫ／ＮＡＣＫ領域のＡＣＫ／ＮＡＣＫ信号スロットの位置を含む。
【００６３】
前記ＡＣＫ／ＮＡＣＫ信号スロットの前記位置は、前記ＡＣＫ／ＮＡＣＫ領域の第１スロットのオフセット値を含むことが好ましい。選択的に、前記ＡＣＫ／ＮＡＣＫ信号スロットは、周波数及び時間軸上の２次元座標値にマッピングされる。
【００６４】
本発明の更に他の実施例によると、前記データ領域の前記位置情報は、受信エラー確認情報を伝送するために移動端末に割り当てられたＡＣＫ／ＮＡＣＫビットマップのＡＣＫ／ＮＡＣＫ信号の位置を含む。前記ＡＣＫ／ＮＡＣＫ信号ビットの前記位置は、前記ＡＣＫ／ＮＡＣＫビットマップの第１ビットのオフセット値を含むことが好ましい。
【００６５】
本発明の更に他の実施例によると、直交周波数分割多重化接続（ＯＦＤＭＡ）システムでデータ領域を割り当てる移動通信装置において、本発明は、情報を伝送及び受信するためのメッセージに識別された移動端末に割り当てられたデータマップのデータ領域の位置情報を含む前記メッセージを受信する受信機と、受信された前記メッセージを読むことで、前記識別された移動端末に割り当てられたデータマップのデータ領域を識別するプロセッサーとを含み、前記データ位置は、他のデータマップのデータ位置と独立的に識別される移動通信装置である。
【００６６】
本発明の一側面で、前記データ領域の位置情報は、前記全てのデータマップの前記データ領域が周波数軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記周波数軸に累積された値を含む。
【００６７】
本発明の他の側面で、前記データ領域の位置情報は、前記全てのデータマップの前記データ領域が周波数軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記周波数軸に累積された値以後の任意の地点を含む。
【００６８】
本発明の更に他の側面で、前記データ領域の位置情報は、前記全てのデータマップの前記データ領域が時間軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記時間軸に累積された値を含む。
【００６９】
本発明の更に他の側面で、前記データ領域の位置情報は、前記全てのデータマップの前記データ領域が時間軸に沿って連続的及び累積的に割り当てられる場合、ネットワークから第１メッセージを通して伝送された第１データマップの最初の割当値から、前記メッセージの伝送直前のメッセージに含まれたデータマップの最後の割当値まで前記時間軸に累積された値以後の任意の地点を含む。
【００７０】
本発明の更に他の側面で、前記データ領域の位置情報は、周波数及び時間軸にマッピングされる２次元座標値である。
【００７１】
前記メッセージは、ＳＵＢ―ＤＬ―ＵＬ  ＭＡＰメッセージであることが好ましい。
【００７２】
本発明の他の実施例によると、前記データ領域の前記位置情報は、受信エラー確認情報を伝送するために前記移動端末に割り当てられたＡＣＫ／ＮＡＣＫ領域のＡＣＫ／ＮＡＣＫ信号スロットの位置を含む。
【００７３】
前記ＡＣＫ／ＮＡＣＫ信号スロットの前記位置は、前記ＡＣＫ／ＮＡＣＫ領域の第１スロットのオフセット値を含むことが好ましい。選択的に、前記ＡＣＫ／ＮＡＣＫ信号スロットは、周波数及び時間軸上の２次元座標値にマッピングされる。
【００７４】
本発明の他の実施例によると、前記データ領域の前記位置情報は、受信エラー確認情報を伝送するために移動端末に割り当てられたＡＣＫ／ＮＡＣＫビットマップのＡＣＫ／ＮＡＣＫ信号の位置を含む。前記ＡＣＫ／ＮＡＣＫ信号ビットの前記位置は、前記ＡＣＫ／ＮＡＣＫビットマップの第１ビットのオフセット値を含むことが好ましい。
【００７５】
上述した点と、本発明の他の目的、特徴、様相及び長所は、添付の図面と一緒に以下の本発明の詳細な説明によって一層明確になるだろう。上述した一般的な説明と以下の本発明の詳細な説明は、例示的で説明的なものであり、請求された発明に対する追加的な説明を提供する。
【図面の簡単な説明】
【００７６】
【図１Ａ】従来技術に係るＡＲＱ（Ａｕｔｏｍａｔｉｃ  Ｒｅｐｅａｔ  ｒｅｑｕｅｓｔ）システムを示す図である。
【図１Ｂ】従来技術に係るＡＲＱ（Ａｕｔｏｍａｔｉｃ  Ｒｅｐｅａｔ  ｒｅｑｕｅｓｔ）システムを示す図である。
【図１Ｃ】従来技術に係るＡＲＱ（Ａｕｔｏｍａｔｉｃ  Ｒｅｐｅａｔ  ｒｅｑｕｅｓｔ）システムを示す図である。
【図２】従来技術に係るＨＡＲＱ（Ｈｙｂｉｒｄ  ＡＲＱ）システムを示す図である。
【図３】従来技術に係るＨＡＲＱ（Ｈｙｂｉｒｄ  ＡＲＱ）システムを示す図である。
【図４】従来技術に係るＨＡＲＱ（Ｈｙｂｉｒｄ  ＡＲＱ）システムを示す図である。
【図５】従来技術に係るＨＡＲＱ（Ｈｙｂｉｒｄ  ＡＲＱ）システムを示す図である。
【図６】従来技術に係る直交周波数分割多重化（ＯＦＤＭ）変調器及び復調器の構成を示す図である。
【図７】従来技術に係る直交周波数分割多重化接続（ＯＦＤＭＡ）無線通信システムにおけるデータフレームを示す図である。
【図８】従来技術に係るＨＡＲＱバースト割当データフレームを示す図である。
【図９】従来技術に係るＨＡＲＱ  ＭＡＰメッセージにおけるＨＡＲＱ信号領域の割当方法を示す図である。
【図１０Ａ】従来技術に係るＨＡＲＱ  ＭＡＰメッセージにおけるＨＡＲＱ信号領域の割当方法を示す図である。
【図１０Ｂ】従来技術に係るＨＡＲＱ  ＭＡＰメッセージにおけるＨＡＲＱ信号領域の割当方法を示す図である。
【図１１Ａ】従来技術に係る累積型データバースト割当方法を示す図である。
【図１１Ｂ】従来技術に係る累積型データバースト割当方法を示す図である。
【図１２】本発明の一実施例に係るマップメッセージに含まれた情報を示す図である。
【図１３】本発明の一実施例に係るマップメッセージに含まれた情報を示す図である。
【図１４】本発明の一実施例に係るマップメッセージに含まれた情報を示す図である。
【図１５】本発明の一実施例に係るマップメッセージに含まれた情報を示す図である。
【図１６】本発明の一実施例に係るマップメッセージに含まれた情報を示す図である。
【図１７】本発明の一実施例によって、移動端末がＭＡＰメッセージを受信し、移動端末に割り当てられたＡＣＫ信号領域を判断する過程を示すフローチャートである。
【発明を実施するための形態】
【００７７】
本発明は、ＯＦＤＭＡ無線接続システムにおけるデータバースト割当方法及び自動再伝送（ＨＡＲＱ）支援方法に関するものである。
【００７８】
添付の図面に示された参照は、本発明の好適な実施例によって具体化された。図面を通して用いられる同一の参照番号は、同一部分または類似した部分を示している。
【００７９】
図１２は、本発明の一実施例に係るマップメッセージに含まれた情報を示す図である。図１２を参照すると、移動端末（ＭＳＳ）にアップリンクまたはダウンリンクバーストを割り当てるために、データバーストの‘Ｓｔａｒｔ  ｏｆｆｓｅｔ’などの位置情報が各ＭＡＰメッセージに含まれる。前記‘Ｓｔａｒｔ  ｏｆｆｓｅｔ’は、各ＭＡＰメッセージの最初のバースト（ＭＡＰメッセージ＃１の場合はバースト＃１、ＭＡＰメッセージ＃２の場合はバースト＃３）の開始位置に関する情報として、各ＭＡＰメッセージの最初のバーストが何番目の割当単位から開始されるかを指示する。すなわち、図１２において、ＭＳＳ＃１には、最初の割当単位から始めて４個の割当単位だけのバースト＃１が割り当てられ、ＭＳＳ＃２には、その後から１５個の割当単位だけのバースト＃２が割り当てられ、ＭＳＳ＃３には、２０番目の割当単位から始めて８個の割当単位だけのバースト＃３が割り当てられる。図１２における各端末に対するデータバーストの割当結果は、図１１Ｂの場合と同一である。
【００８０】
図１３は、本発明の一実施例に係るマップメッセージに含まれた情報を示す図である。
【００８１】
図１３によると、各ＭＡＰメッセージに含まれるデータバーストの位置情報は、‘Ｓｙｍｂｏｌ  Ｏｆｆｓｅｔ’及び‘Ｓｕｂｃｈａｎｎｅｌ  ｏｆｆｓｅｔ’の二つの値を提供することで、データフレーム上の２次元座標値によって表現した。すなわち、前記‘Ｓｙｍｂｏｌ  Ｏｆｆｓｅｔ’及び‘Ｓｕｂｃｈａｎｎｅｌ  ｏｆｆｓｅｔ’は、各ＭＡＰメッセージの最初のバースト（ＭＡＰメッセージ＃１の場合はバースト＃１、ＭＡＰメッセージ＃２の場合はバースト＃３）の開始位置に関する情報として、データフレーム上の時間軸及び周波数軸による２次元座標値である。ＭＡＰメッセージ＃２で‘Ｓｙｍｂｏｌ  ｏｆｆｓｅｔ＝４’、‘Ｓｕｂｃｈａｎｎｅｌ  ｏｆｆｓｅｔ＝２’であるので、ＭＳＳ＃３に割り当てられるバースト＃３の開始位置は、図１１Ｂの場合と同一である。
【００８２】
表１及び表２は、本発明に係る技術的思想をＩＥＥＥ８０２.１６ｄ／ｅ  ＯＦＤＭＡシステムで具体的に応用するために、ＨＡＲＱ  ＭＡＰメッセージに図１２の‘Ｓｔａｒｔ  ｏｆｆｓｅｔ’、図１３の‘Ｓｙｍｂｏｌ  Ｏｆｆｓｅｔ’及び‘Ｓｕｂｃｈａｎｎｅｌ  ｏｆｆｓｅｔ’を含ませたものである。
【００８３】
【表１】
0005554375.tif 000002
【００８４】
【表２】
0005554375.tif 000003
【００８５】
表３及び表４は、本発明に係る技術的思想をＩＥＥＥ８０２.１６ｄ／ｅ  ＯＦＤＭＡシステムに適用するために、ＨＡＲＱ  ＭＡＰメッセージにＤＬ―ＭＡＰ＿ＩＥの形態で前記‘Ｓｔａｒｔ  ｏｆｆｓｅｔ’または‘Ｓｙｍｂｏｌ  Ｏｆｆｓｅｔ’及び‘Ｓｕｂｃｈａｎｎｅｌ  ｏｆｆｓｅｔ’を含ませた場合、そのフォーマットを示したものである。表３及び表４の前記‘Ｓｔａｒｔ  ｏｆｆｓｅｔ’または‘Ｓｙｍｂｏｌ  Ｏｆｆｓｅｔ’及び‘Ｓｕｂｃｈａｎｎｅｌ  ｏｆｆｓｅｔ’は、前記ＨＡＲＱ  ＭＡＰメッセージ内の最初のダウンリンクデータバーストの開始位置を知らせる。
【００８６】
【表３】
0005554375.tif 000004
【００８７】
【表４】
0005554375.tif 000005
【００８８】
表５及び表６は、本発明に係る技術的思想をＩＥＥＥ８０２.１６ｄ／ｅ  ＯＦＤＭＡシステムで具体的に応用するために、ＨＡＲＱ  ＭＡＰメッセージにＵＬ―ＭＡＰ_ＩＥの形態で前記‘Ｓｔａｒｔ  ｏｆｆｓｅｔ’または‘Ｓｙｍｂｏｌ  Ｏｆｆｓｅｔ’及び’‘Ｓｕｂｃｈａｎｎｅｌ  ｏｆｆｓｅｔ’を含ませた場合、そのフォーマットを示したものである。表５及び表６の前記‘Ｓｔａｒｔ  ｏｆｆｓｅｔ’または‘Ｓｙｍｂｏｌ  Ｏｆｆｓｅｔ’及び‘Ｓｕｂｃｈａｎｎｅｌ  ｏｆｆｓｅｔ’は、前記ＨＡＲＱ  ＭＡＰメッセージ内の最初のアップリンクデータバーストの開始位置を知らせる。
【００８９】
【表５】
0005554375.tif 000006
【００９０】
【表６】
0005554375.tif 000007
【００９１】
表７は、表３〜表６がＨＡＲＱ  ＭＡＰメッセージに含まれた場合のフォーマットを示す。
【００９２】
【表７】
0005554375.tif 000008
【００９３】
移動端末（ＭＳＳ）は、自身に割り当てられるダウンリンクまたはアップリンクデータバーストの位置情報を含むＭＡＰメッセージを受信し、前記位置情報からダウンリンクまたはアップリンクデータバーストの位置を把握し、前記ダウンリンクデータバーストを通して伝送されたデータを獲得し、前記アップリンクデータバーストを通してデータを伝送する。
【００９４】
従来技術において、各端末は、自身に割り当てられたデータバーストの位置及び大きさを知るために、他の端末に伝達されるＭＡＰメッセージも読むべきであり、そのＭＡＰメッセージ内の‘ｄｕｒａｔｉｏｎ’値を全部累積して計算すべきである。したがって、その過程で、以前のＭＡＰメッセージのうち何れか一つにでもエラーが発生する場合、自身に割り当てられたバーストの正確な位置を知ることができない反面、本発明の各端末は、自身に割り当てられたダウンリンクまたはアップリンクデータバーストの位置及び大きさを把握するために他の端末に伝達されるＭＡＰメッセージを読む必要なしに、自身に伝達されるＭＡＰメッセージのみを読めばよい。
【００９５】
したがって、本発明に係るＯＦＤＭＡ無線接続システムにおけるデータバースト割当方法によると、端末にデータバーストを割り当てるためのメッセージを他のメッセージと独立的に構成することで、端末が自身に割り当てられるアップリンク及びダウンリンクデータバーストの位置を把握するために、以前のメッセージまで全て確認すべきである面倒さや、エラー発生可能性を減少させることができる。
【００９６】
本発明の他の実施例として、本発明は、ＭＳＳを通してＡＣＫ信号領域に‘伝送位置情報’などの位置情報を指示する情報を挿入する方法を提供し、多数の移動端末にデータバーストを割り当てるために伝送されたＨＡＲＱ  ＭＡＰメッセージに含まれた第１データバーストを割り当て、データバーストに対する受信エラー確認情報を提供するためにＡＣＫまたはＮＡＣＫ信号を伝送する。
【００９７】
図１４は、本発明の一実施例に係るマップメッセージに含まれた情報を示す図である。図１４を参照すると、‘ＡＣＫ  Ｏｆｆｓｅｔ’は、各ＨＡＲＱ  ＭＡＰメッセージに含まれる最初のデータバーストの割当を受ける移動端末（ＭＳＳ）が、前記データバーストに対する受信エラー確認情報であるＡＣＫまたはＮＡＣＫ信号を伝送するＡＣＫ信号領域内でのスロットの位置情報である。例えば、ＭＡＰメッセージ＃２で‘ＡＣＫ  Ｏｆｆｓｅｔ’が３であるので、バースト＃３の割当を受けるＭＳＳ＃３は、該当のフレームで基地局から伝送を受けるデータバーストに対するＡＣＫまたはＮＡＣＫ信号を、前記ＡＣＫ信号区域（図９を参照）の最初の開始位置から３番目のスロットを通して前記基地局に伝送することができる。ＭＳＳ＃４は、前記ＡＣＫ信号区域の４番目のスロットを通してＡＣＫまたはＮＡＣＫ信号を伝送することができる。
【００９８】
図１５は、本発明の一実施例に係るマップメッセージに含まれた情報を示す図である。図１５を参照すると、‘Ｂｕｒｓｔ  Ｎｕｍｂｅｒ’は、各ＨＡＲＱ  ＭＡＰメッセージに含まれる最初のデータバーストの割当を受ける移動端末が、前記データバーストに対する受信エラー確認情報であるＡＣＫまたはＮＡＣＫ信号を伝送するＡＣＫ信号区域内でのスロットの位置情報をバースト数で知らせるものである。例えば、ＭＡＰメッセージ＃３で‘Ｂｕｒｓｔ  Ｎｕｍｂｅｒ’が５であるので、バースト＃５の割当を受けるＭＳＳ＃５は、該当のフレームで基地局から伝送を受けるデータバーストに対するＡＣＫまたはＮＡＣＫ信号を、前記ＡＣＫ信号区域（図９を参照）の最初の開始位置から５番目のスロットを通して前記基地局に伝送することができる。
【００９９】
図１６は、本発明の一実施例に係るマップメッセージに含まれた情報を示す図である。図１６を参照すると、各ＨＡＲＱ  ＭＡＰメッセージに含まれる最初のデータバーストの割当を受ける移動端末が、前記データバーストに対する受信エラー確認情報であるＡＣＫまたはＮＡＣＫ信号を伝送するＡＣＫ信号区域内でのスロットの位置情報を、‘Ｓｙｍｂｏｌ  Ｏｆｆｓｅｔ’及び‘Ｈａｌｆ  ｓｕｂｃｈａｎｎｅｌ  ｏｆｆｓｅｔ’のように、移動端末が前記ＡＣＫまたはＮＡＣＫを伝送するアップリンクサブフレームでの２次元座標で表示したものである。
【０１００】
表８は、本発明に係る技術的思想をＩＥＥＥ８０２.１６ｄ／ｅ  ＯＦＤＭＡシステムで具体的に応用するために、ＨＡＲＱ  ＭＡＰメッセージにＣｏｍｐａｃｔ  ＵＬ―ＭＡＰ  ＩＥを挿入し（ＵＬ―ＭＡＰ  ｔｙｐｅ＝６）、図１１の‘ＡＣＫ  Ｏｆｆｓｅｔ’を端末に知らせる実施例である。
【０１０１】
【表８】
0005554375.tif 000009
【０１０２】
表９は、本発明に係る技術的思想をＩＥＥＥ８０２.１６ｄ／ｅ  ＯＦＤＭＡシステムで具体的に応用するために、ＨＡＲＱ  ＭＡＰメッセージにＣｏｍｐａｃｔ  ＵＬ―ＭＡＰ  ＩＥ（ＵＬ―ＭＡＰ  ｔｙｐｅ＝６）を挿入し、図１２の‘Ｂｕｒｓｔ  Ｎｕｍｂｅｒ’を端末に知らせる実施例である。
【０１０３】
【表９】
0005554375.tif 000010
【０１０４】
表１０は、本発明に係る技術的思想をＩＥＥＥ８０２.１６ｄ／ｅ  ＯＦＤＭＡシステムで具体的に応用するために、ＨＡＲＱ  ＭＡＰメッセージにＣｏｍｐａｃｔ  ＵＬ―ＭＡＰ  ＩＥ（ＵＬ―ＭＡＰ  ｔｙｐｅ＝６）を挿入し、図１６の‘Ｓｙｍｂｏｌ  Ｏｆｆｓｅｔ’と‘Ｈａｌｆ  ｓｕｂｃｈａｎｎｅｌ  ｏｆｆｓｅｔ’を端末に知らせる実施例である。
【０１０５】
【表１０】
0005554375.tif 000011
【０１０６】
表１１〜表１３は、本発明に係る技術的思想をＩＥＥＥ８０２.１６ｄ／ｅ  ＯＦＤＭＡシステムに適用するために、ＨＡＲＱ  ＭＡＰメッセージにＵＬ―ＭＡＰ＿ＩＥ拡張タイプ（Ｃｏｍｐａｃｔ  ＵＬ  ＭＡＰ  ＩＥ  Ｔｙｐｅｓ＝７）を使用し、それぞれ‘ＡＣＫ  Ｏｆｆｓｅｔ’、‘Ｂｕｒｓｔ  Ｎｕｍｂｅｒ’、‘Ｓｙｍｂｏｌ  Ｏｆｆｓｅｔ’及び‘Ｈａｌｆ  ｓｕｂｃｈａｎｎｅｌ  ｏｆｆｓｅｔ’を移動端末に知らせる実施例である。
【０１０７】
【表１１】
0005554375.tif 000012
【０１０８】
【表１２】
0005554375.tif 000013
【０１０９】
【表１３】
0005554375.tif 000014
【０１１０】
移動端末（ＭＳＳ）は、移動端末に伝送されるデータバーストに対する受信エラー確認情報（ＡＣＫまたはＮＡＣＫ信号）の伝送位置情報を含むメッセージを受信し、前記データバーストの受信エラー確認結果による伝送位置情報を用いて、自身に割り当てられたＡＣＫ信号領域内のスロットを通してＡＣＫまたはＮＡＣＫ信号を伝送する。
【０１１１】
図１７は、本発明の一実施例に係るＭＡＰメッセージを受信し、移動端末（ＭＳＳ）に割り当てられたＡＣＫ信号領域を判断する過程を示すフローチャートである。図１７を参照すると、移動端末は、受信したデータフレームに含まれたＭＡＰメッセージを一つずつ検査する（Ｓ１１）。移動端末は、現在検査されるＭＡＰメッセージが新しいＡＣＫ信号領域を定義するかどうかを検査する（Ｓ１２）。
【０１１２】
現在検査されるＭＡＰメッセージが新しいＡＣＫ信号領域を定義する場合、移動端末は、‘ＡＣＫ  Ｏｆｆｓｅｔ’を０に設定して開始する（Ｓ１３）。そうでない場合、移動端末は、現在の‘ＡＣＫ  Ｏｆｆｓｅｔ’を読む（Ｓ１４）。
【０１１３】
移動端末は、ＭＡＰメッセージがＤＬ  ＭＡＰ  ＩＥを含むかどうかを判断する（Ｓ１５）。ＭＡＰメッセージがＤＬ  ＭＡＰ  ＩＥ（Ｃｏｕｎｔ＝０）を含まない場合、移動端末は、次のＭＡＰメッセージを検査する（Ｓ１６）。ＭＡＰメッセージがＤＬ  ＭＡＰ  ＩＥを含む場合、移動端末は、ＤＬ―ＭＡＰ  ＩＥが含まれたかどうかを一つずつ検査する（Ｓ１７）。
【０１１４】
移動端末は、ＤＬ―ＭＡＰ  ＩＥが自身に割り当てられたかどうかを検査する（Ｓ１８）。検査されたＤＬ―ＭＡＰ  ＩＥが自身に割り当てられている場合、移動端末は、‘ＡＣＫ  Ｏｆｆｓｅｔ’を保存し（Ｓ１９）、‘ＡＣＫ  Ｏｆｆｓｅｔ’に１を加える（Ｓ２０）。
【０１１５】
移動端末は、対応するＤＬ―ＭＡＰ  ＩＥが最後であるかどうかを判断する（Ｓ２１）。対応するＤＬ―ＭＡＰ  ＩＥが最後である場合、移動端末は、Ｓ１１段階に戻り、受信されたデータフレームに含まれた次のＭＡＰメッセージを検査する。対応するＤＬ―ＭＡＰ  ＩＥが最後でない場合、移動端末は、Ｓ１７段階から次のＤＬ―ＭＡＰ  ＩＥを検査する。
【０１１６】
従来技術における各移動端末は、自身に割り当てられたＡＣＫまたはＮＡＣＫ信号伝送位置情報を獲得するために、他の移動端末に向かうＭＡＰメッセージを読む必要がある。その過程で、以前のメッセージのうち何れか一つにでもエラーが発生した場合、移動端末は、自身に割り当てられた伝送位置情報を知ることができない。
【０１１７】
しかし、本発明における各移動端末は、他の移動端末に向かうＭＡＰメッセージを読む必要がない。その代わりに、移動端末は、割り当てられた伝送位置情報を獲得するために自身に向かうＭＡＰメッセージのみを読めばよい。
【０１１８】
したがって、本発明は、移動端末にデータバーストを割り当てるためのメッセージを他のメッセージと独立的に構成することで、一つのＭＡＰメッセージにエラーが発生するとしても、エラーのないＡＣＫまたはＮＡＣＫ信号を指示することができる。したがって、本発明は、全てのデータを再伝送すべきであるオーバーヘッド発生を減少させることができ、エラーのないデータを持続的に伝送することができる。
【０１１９】
以上、本発明を移動通信の内容に基づいて説明してきたが、本発明は、無線通信機能を備えたＰＤＡ及びラップトップコンピュータなどのような移動機器を用いる無線通信システムにも適用することができる。
【０１２０】
好適な各実施例は、ソフトウェア、ファームウェア、ハードウェア、またはそれらの組み合わせを生産するために、標準プログラミング及び／または工学技術を用いて方法、装置または製造物に適用することができる。ここで、“製造物”という用語は、ハードウェアロジック（例えば、集積回路チップ、ＦＰＧＡ（Ｆｉｅｌｄ  Ｐｒｏｇｒａｍｍａｂｌｅ  Ｇａｔｅ  Ａｒｒａｙ）、ＡＳIＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）に適用されるコードまたはロジックを示すか、コンピュータ可読媒体（例えば、磁気保存媒体（ハードディスクドライブ、フロッピー（登録商標）ディスク、テープなど）、光学保存媒体（ＣＤ―ＲＯＭｓ、光学ディスクなど）、揮発及び非揮発メモリ装置（ＥＥＰＲＯＭｓ、ＲＯＭｓ、ＰＲＯＭｓ、ＲＡＭｓ、ＤＲＡＭｓ、ＳＲＡＭｓ、ファームウェア、プログラマブルロジックなど））に用いられる。
【０１２１】
コンピュータ可読媒体におけるコードは、プロセッサーによって接近及び実行される。本発明の好適な実施例におけるコードは、伝送媒体またはネットワーク上のファイルサーバーを通して接近できるように具現された。この場合、コードが備わった前記製造物は、ネットワーク伝送ライン、無線伝送媒体、空間を通して伝播される各信号、無線波、赤外線信号などの伝送媒体を含む。もちろん、当業者は、本発明の領域を逸脱しない範囲で多様に変形可能であることを認識することができ、その製造物は、従来技術で知られた情報を含む。本発明は、図６に基づいて説明した構成と一緒に説明されたプロセッサーを含む移動通信機器に具現されることが好ましい。
【０１２２】
本発明は、本発明の精神及び必須的な特徴を逸脱しない範囲で、他の特定の形態で具体化されることが当業者にとって自明である。したがって、上記の詳細な説明は、全ての面で制約的に解析されてはならなく、例示的なものとして考慮されるべきである。本発明の範囲は、特許請求の範囲の合理的解析によって決定されるべきで、本発明の等価的範囲内での全ての変更は、本発明の範囲に含まれる。
【産業上の利用可能性】
【０１２３】
本発明は、広域無線接続システム、移動通信システムまたは携帯インターネットシステムなどに適用可能である。
【図１Ａ】
0005554375.tif 000015
【図１Ｂ】
0005554375.tif 000016
【図１Ｃ】
0005554375.tif 000017
【図２】
0005554375.tif 000018
【図３】
0005554375.tif 000019
【図４】
0005554375.tif 000020
【図５】
0005554375.tif 000021
【図６】
0005554375.tif 000022
【図７】
0005554375.tif 000023
【図８】
0005554375.tif 000024
【図９】
0005554375.tif 000025
【図１０Ａ】
0005554375.tif 000026
【図１０Ｂ】
0005554375.tif 000027
【図１１Ａ】
0005554375.tif 000028
【図１１Ｂ】
0005554375.tif 000029
【図１２】
0005554375.tif 000030
【図１３】
0005554375.tif 000031
【図１４】
0005554375.tif 000032
【図１５】
0005554375.tif 000033
【図１６】
0005554375.tif 000034
【図１７】
0005554375.tif 000035